(57)【要約】【課題】好気性処理における処理安定性や処理能力を向上させ、処理後の貝殻をより清浄な状態にできる、貝類の処理装置および処理方法を提供する。【解決手段】外気を遮断可能で処理対象の貝類１１を浸漬した第１処理液１２を収容し、第１処理液を攪拌する第１攪拌部（１５，１６）を備え、嫌気性条件下で貝類を構成する有機固形物を可溶化する第１処理槽Ｔ１と、外気を遮断で第１処理槽から移液された貝類の貝殻を除く第１処理液に嫌気性種汚泥が添加されてなる第２処理液３１が収容され、第２処理液を攪拌する第２攪拌部３２を備え、嫌気性条件下で第２処理液に嫌気性微生物による嫌気性処理を施す第２処理槽Ｔ２を有し、第１処理槽は、第２処理液の上澄み部分に貝殻を浸漬してなる第３処理液を収容し、好気性条件下で第３処理液に貝殻を好気性微生物の担体として用いた好気性微生物による好気性処理を施す構成とする。【選択図】図１
2008049274.tif 000002
【特許請求の範囲】
【請求項１】
貝類に嫌気性処理および好気性処理を施して処理する貝類の処理装置であって、
外気を遮断可能な構造を有する処理槽であって、処理対象の貝類を浸漬した第１処理液を収容し、前記第１処理液を攪拌する第１攪拌部を備え、嫌気性条件下で前記貝類を構成する有機固形物を可溶化する第１処理槽と、
外気を遮断可能な構造を有する処理槽であって、前記第１処理槽から移液された前記貝類の貝殻を除く第１処理液に嫌気性種汚泥が添加されてなる第２処理液が収容され、前記第２処理液を攪拌する第２攪拌部を備え、嫌気性条件下で前記第２処理液に嫌気性微生物による嫌気性処理を施す第２処理槽と
を有し、
前記第１処理槽が、前記第２処理液の上澄み部分に前記貝殻を浸漬してなる前記第３処理液を収容し、好気性条件下で前記第３処理液に前記貝殻を好気性微生物の担体として用いた好気性微生物による好気性処理を施すように構成されている
貝類の処理装置。
【請求項２】
前記第１処理槽を複数個有し、
複数個の前記第１処理槽と前記第２処理槽間で前記第１処理液および前記第２処理液の上澄みをそれぞれ移液可能に構成されている
請求項１に記載の貝類の処理装置。
【請求項３】
貝類に嫌気性処理および好気性処理を施して処理する貝類の処理装置であって、
外気を遮断可能な構造を有する処理槽であって、処理対象の貝類を浸漬した第１処理液を収容し、前記第１処理液を攪拌する第１攪拌部を備え、嫌気性条件下で前記貝類を構成する有機固形物を可溶化する第１処理槽と、
外気を遮断可能な構造を有する処理槽であって、前記第１処理槽から移液された前記貝類の貝殻を除く第１処理液に嫌気性種汚泥が添加されてなる第２処理液が収容され、前記第２処理液を攪拌する第２攪拌部を備え、嫌気性条件下で前記第２処理液に嫌気性微生物による嫌気性処理を施す第２処理槽と、
前記第２処理液の上澄み部分に前記貝殻を浸漬してなる前記第３処理液を収容し、前記第３処理液を攪拌する第３攪拌部を備え、好気性条件下で前記第３処理液に前記貝殻を好気性微生物の担体として用いた好気性微生物による好気性処理を施す第３処理槽と
を有する貝類の処理装置。
【請求項４】
前記第２処理槽に、前記嫌気性処理において発生するメタンガスを回収するエネルギー回収部が設けられている
請求項１〜３のいずれかに記載の貝類の処理装置。
【請求項５】
前記第２処理槽に、前記処理液の塩化ナトリウム濃度を１０ｇ／リットル以下に調整する塩化ナトリウム調整部がさらに設けられている
請求項１〜４のいずれかに記載の貝類の処理装置。
【請求項６】
前記第２処理槽に、前記処理液に前記嫌気性処理で消費される成分を添加する成分添加部がさらに設けられている
請求項１〜５のいずれかに記載の貝類の処理装置。
【請求項７】
前記第１処理槽および前記第２処理槽の底部に沈殿する沈殿物を除去する取り出し管が前記処理槽の底部に設けられている
請求項１，２，４〜６のいずれかに記載の貝類の処理装置。
【請求項８】
前記第１処理槽、前記第２処理槽および前記第３処理槽の底部に沈殿する沈殿物を除去する取り出し管が前記処理槽の底部に設けられている
請求項３〜６のいずれかに記載の貝類の処理装置。
【請求項９】
貝類に嫌気性処理および好気性処理を施して処理する貝類の処理方法であって、
処理対象の貝類を浸漬した第１処理液を嫌気性条件下で攪拌して前記第１処理液において前記貝類を構成する有機固形物を可溶化する工程と、
前記貝類の貝殻を除く第１処理液に嫌気性種汚泥を添加して第２処理液とし、嫌気性条件下で前記第２処理液を攪拌して前記第２処理液に嫌気性微生物による嫌気性処理を施す工程と、
前記第２処理液の上澄み部分に前記貝殻を浸漬して前記第３処理液とし、好気性条件下で前記第３処理液を攪拌して前記第３処理液に前記貝殻を好気性微生物の担体として用いた好気性微生物による好気性処理を施す工程と
を有する貝類の処理方法。
【請求項１０】
前記第１処理液において前記貝類を構成する有機固形物を可溶化する工程と前記第３処理液に前記好気性処理を施す工程を第１処理槽で行い、前記第２処理液に前記嫌気性処理を施す工程を第２処理槽で行い、
前記第１処理液において前記貝類を構成する有機固形物を可溶化する工程の後で前記貝類の貝殻を前記第１処理槽に残して前記第１処理液を前記第２処理槽に移液し、
前記第２処理液に前記嫌気性処理を施す工程の後で前記貝殻が残されている前記第１処理槽に前記第２処理液の上澄みを移液する
請求項９に記載の貝類の処理方法。
【請求項１１】
複数個の前記第１処理槽を用い、
複数個の前記第１処理槽と前記第２処理槽間で前記第１処理液および前記第２処理液の上澄みをそれぞれ移液して、前記有機固形物を可溶化する工程から前記第３処理液に前記好気性処理を施す工程までの工程を行う
請求項１０に記載の貝類の処理方法。
【請求項１２】
前記有機固形物を可溶化する工程において、含有される有機物の６０％以上が炭水化物である有機性廃棄物を前記第１処理液に添加し、
前記有機固形物を可溶化する工程から前記第３処理液に前記好気性処理を施す工程までの工程で前記貝類とともに前記有機性廃棄物を処理する
請求項９〜１１のいずれかに記載の貝類の処理方法。
【請求項１３】
前記第２処理液に前記嫌気性処理を施す工程において、前記嫌気性処理において発生するメタンガスを回収しながら行う
請求項９〜１２のいずれかに記載の貝類の処理方法。
【請求項１４】
前記第２処理液に前記嫌気性処理を施す工程において、前記処理液の塩化ナトリウム濃度を１０ｇ／リットル以下に調整して行う
請求項９〜１３のいずれかに記載の貝類の処理方法。
【請求項１５】
前記第２処理液に前記嫌気性処理を施す工程において、前記第２処理液に前記嫌気性処理で消費される成分を添加して行う
請求項９〜１４のいずれかに記載の貝類の処理方法。
【請求項１６】
前記第１処理液、前記第２処理液および前記第３処理液において、底部に沈殿する沈殿物を除去する工程を有する
請求項９〜１５のいずれかに記載の貝類の処理方法。
【発明の詳細な説明】
【技術分野】
【０００１】
本発明は、貝類の処理装置および処理方法に関し、特に沿岸に立地する発電所などの施設において冷却水系などの配水管の内部に付着する貝類の処理装置および処理方法に関する。
【背景技術】
【０００２】
ムラサキイガイはヨーロッパを原産とする外来種であり、岸壁や船舶などの海洋構造物に発生、付着する。例えば、沿岸に立地する火力や原子力などの発電所など、沿岸施設において冷却水系などの配水管に海水を通して用いていると、配管内部にムラサキイガイが大量に発生、付着してしまうことが知られており、その量は１施設あたり年間１００トンを越える場合もある。
【０００３】
冷却水系の配水管の内部に付着したムラサキイガイは、冷却水量の流量の低下やそれに伴う冷却効率の低下など、深刻な問題を引き起こすので、発電所などの沿岸施設では、例えば年に２回程度の割合で上記の大量のムラサキイガイを除去し、排出している。
【０００４】
上記のようにして排出された大量のムラサキイガイの他、カキなどのその他の不要な貝類は、放置すると腐敗して悪臭の原因となるため、例えば焼却処理あるいは埋め立て処理により廃棄処分がなされている。
【０００５】
しかし、焼却処理の場合、以下の問題が指摘されている。
（１）処理にあたり、悪臭対策、大量の補助燃料が必要であり、さらに焼却炉のタイプに制約がある。
（２）配水管の内部からの貝類の除去作業は通常年に２回程度であり、一度に大量の廃棄物として排出されるため、短期間に大量の焼却が必要となり、イニシャルコストとランニングコストが高いという問題がある。
（３）貝類の付着塩分によって焼却炉の寿命が短くなり、さらにダイオキシンの発生要因となる。
（４）貝類に起因する大量の焼却灰が発生する。
【０００６】
また、埋め立て処理の場合、以下の問題が指摘されている。
（１）悪臭公害の原因となる。
（２）埋め立て場から長期にわたり濃度の高い滲出水が排出してしまい、滲出水集水装置および処理装置を設置しないと地下水汚染の原因となってしまう。
【０００７】
焼却処理と埋め立て処理のいずれも上記のような問題があることから、大量に発生するムラサキイガイなどの貝類を処理するために、上記以外の方法が求められていた。
【０００８】
特許文献１には、上記の問題を踏まえて、上記のムラサキイガイやカキなどの貝類において有機固形物の貝肉と貝殻とを分離、処理する方法などが記載されている。
ここでは、貝類に嫌気性処理を施して有機固形物を分解して消化液とし、貝殻を取り出した後、消化液に好気性処理を施し、含有される有機物を分解して最終処理水とされる。最終処理水は、好気性処理における希釈水として利用、あるいは河川や海に放流される。あるいは、嫌気性処理の後で取り出された貝殻の洗浄などに利用される。
【０００９】
しかし、上記の特許文献１の方法においては、好気性処理における処理安定性や処理能力の向上が求められており、また、嫌気性処理後に回収された貝殻の表面には洗浄しても有機物が多少残存していて十分に清浄であるとは言えず、カルシウム源などとして活用するにはさらなる洗浄処理が必要となっていた。
【特許文献１】特開平８−５７４６２号公報
【発明の開示】
【発明が解決しようとする課題】
【００１０】
本発明はかかる事情に鑑みてなされたものであり、その目的は、好気性処理における処理安定性や処理能力を向上させ、処理後の貝殻をより清浄な状態にできる、貝類の処理装置および処理方法を提供することである。
【課題を解決するための手段】
【００１１】
上記目的を達成するため、本発明の貝類の処理装置は、貝類に嫌気性処理および好気性処理を施して処理する貝類の処理装置であって、外気を遮断可能な構造を有する処理槽であって、処理対象の貝類を浸漬した第１処理液を収容し、前記第１処理液を攪拌する第１攪拌部を備え、嫌気性条件下で前記貝類を構成する有機固形物を可溶化する第１処理槽と、外気を遮断可能な構造を有する処理槽であって、前記第１処理槽から移液された前記貝類の貝殻を除く第１処理液に嫌気性種汚泥が添加されてなる第２処理液が収容され、前記第２処理液を攪拌する第２攪拌部を備え、嫌気性条件下で前記第２処理液に嫌気性微生物による嫌気性処理を施す第２処理槽とを有し、前記第１処理槽が、前記第２処理液の上澄み部分に前記貝殻を浸漬してなる前記第３処理液を収容し、好気性条件下で前記第３処理液に前記貝殻を好気性微生物の担体として用いた好気性微生物による好気性処理を施すように構成されている。
【００１２】
上記の本発明の貝類の処理装置は、貝類に嫌気性処理および好気性処理を施して処理する貝類の処理装置であって、第１処理槽と第２処理槽を有する。
第１処理槽は、外気を遮断可能な構造を有する処理槽であって、処理対象の貝類を浸漬した第１処理液を収容し、第１処理液を攪拌する第１攪拌部を備え、嫌気性条件下で貝類を構成する有機固形物を可溶化する。
第２処理槽は、外気を遮断可能な構造を有する処理槽であって、第１処理槽から移液された貝類の貝殻を除く第１処理液に嫌気性種汚泥が添加されてなる第２処理液が収容され、第２処理液を攪拌する第２攪拌部を備え、嫌気性条件下で第２処理液に嫌気性微生物による嫌気性処理を施す。
ここで、上記の第１処理槽は、第２処理液の上澄み部分に貝殻を浸漬してなる第３処理液を収容し、好気性条件下で第３処理液に貝殻を好気性微生物の担体として用いた好気性微生物による好気性処理を施すように構成されている。
【００１３】
上記の本発明の貝類の処理装置は、好適には、前記第１処理槽を複数個有し、複数個の前記第１処理槽と前記第２処理槽間で前記第１処理液および前記第２処理液の上澄みをそれぞれ移液可能に構成されている。
【００１４】
また、上記目的を達成するため、本発明の貝類の処理装置は、貝類に嫌気性処理および好気性処理を施して処理する貝類の処理装置であって、外気を遮断可能な構造を有する処理槽であって、処理対象の貝類を浸漬した第１処理液を収容し、前記第１処理液を攪拌する第１攪拌部を備え、嫌気性条件下で前記貝類を構成する有機固形物を可溶化する第１処理槽と、外気を遮断可能な構造を有する処理槽であって、前記第１処理槽から移液された前記貝類の貝殻を除く第１処理液に嫌気性種汚泥が添加されてなる第２処理液が収容され、前記第２処理液を攪拌する第２攪拌部を備え、嫌気性条件下で前記第２処理液に嫌気性微生物による嫌気性処理を施す第２処理槽と、前記第２処理液の上澄み部分に前記貝殻を浸漬してなる前記第３処理液を収容し、前記第３処理液を攪拌する第３攪拌部を備え、好気性条件下で前記第３処理液に前記貝殻を好気性微生物の担体として用いた好気性微生物による好気性処理を施す第３処理槽とを有する。
【００１５】
上記の本発明の貝類の処理装置は、貝類に嫌気性処理および好気性処理を施して処理する貝類の処理装置であって、第１処理槽、第２処理槽および第３処理槽を有する。
第１処理槽は、外気を遮断可能な構造を有する処理槽であって、処理対象の貝類を浸漬した第１処理液を収容し、第１処理液を攪拌する第１攪拌部を備え、嫌気性条件下で貝類を構成する有機固形物を可溶化する。
第２処理槽は、外気を遮断可能な構造を有する処理槽であって、第１処理槽から移液された貝類の貝殻を除く第１処理液に嫌気性種汚泥が添加されてなる第２処理液が収容され、第２処理液を攪拌する第２攪拌部を備え、嫌気性条件下で第２処理液に嫌気性微生物による嫌気性処理を施す。
第３処理槽は、第２処理液の上澄み部分に貝殻を浸漬してなる第３処理液を収容し、第３処理液を攪拌する第３攪拌部を備え、好気性条件下で第３処理液に貝殻を好気性微生物の担体として用いた好気性微生物による好気性処理を施す。
【００１６】
上記の本発明の貝類の処理装置は、好適には、前記第２処理槽に、前記嫌気性処理において発生するメタンガスを回収するエネルギー回収部が設けられている。
【００１７】
上記の本発明の貝類の処理装置は、好適には、前記第２処理槽に、前記処理液の塩化ナトリウム濃度を１０ｇ／リットル以下に調整する塩化ナトリウム調整部がさらに設けられている。
【００１８】
上記の本発明の貝類の処理装置は、好適には、前記第２処理槽に、前記処理液に前記嫌気性処理で消費される成分を添加する成分添加部がさらに設けられている。
【００１９】
上記の本発明の貝類の処理装置は、好適には、前記第１処理槽および前記第２処理槽の底部に沈殿する沈殿物を除去する取り出し管が前記処理槽の底部に設けられている。
あるいは好適には、前記第１処理槽、前記第２処理槽および前記第３処理槽の底部に沈殿する沈殿物を除去する取り出し管が前記処理槽の底部に設けられている。
【００２０】
また、上記目的を達成するため、本発明の貝類の処理方法は、貝類に嫌気性処理および好気性処理を施して処理する貝類の処理方法であって、処理対象の貝類を浸漬した第１処理液を嫌気性条件下で攪拌して前記第１処理液において前記貝類を構成する有機固形物を可溶化する工程と、前記貝類の貝殻を除く第１処理液に嫌気性種汚泥を添加して第２処理液とし、嫌気性条件下で前記第２処理液を攪拌して前記第２処理液に嫌気性微生物による嫌気性処理を施す工程と、前記第２処理液の上澄み部分に前記貝殻を浸漬して前記第３処理液とし、好気性条件下で前記第３処理液を攪拌して前記第３処理液に前記貝殻を好気性微生物の担体として用いた好気性微生物による好気性処理を施す工程とを有する。
【００２１】
上記の本発明の貝類の処置方法は、貝類に嫌気性処理および好気性処理を施して処理する貝類の処理方法である。
まず、処理対象の貝類を浸漬した第１処理液を嫌気性条件下で攪拌して第１処理液において貝類を構成する有機固形物を可溶化する。
次に、貝類の貝殻を除く第１処理液に嫌気性種汚泥を添加して第２処理液とし、嫌気性条件下で第２処理液を攪拌して第２処理液に嫌気性微生物による嫌気性処理を施す。
次に、第２処理液の上澄み部分に貝殻を浸漬して第３処理液とし、好気性条件下で第３処理液を攪拌して第３処理液に貝殻を好気性微生物の担体として用いた好気性微生物による好気性処理を施す。
【００２２】
上記の本発明の貝類の処理方法は、好適には、前記第１処理液において前記貝類を構成する有機固形物を可溶化する工程と前記第３処理液に前記好気性処理を施す工程を第１処理槽で行い、前記第２処理液に前記嫌気性処理を施す工程を第２処理槽で行い、前記第１処理液において前記貝類を構成する有機固形物を可溶化する工程の後で前記貝類の貝殻を前記第１処理槽に残して前記第１処理液を前記第２処理槽に移液し、前記第２処理液に前記嫌気性処理を施す工程の後で前記貝殻が残されている前記第１処理槽に前記第２処理液の上澄みを移液する。
【００２３】
上記の本発明の貝類の処理方法は、さらに好適には、複数個の前記第１処理槽を用い、複数個の前記第１処理槽と前記第２処理槽間で前記第１処理液および前記第２処理液の上澄みをそれぞれ移液して、前記有機固形物を可溶化する工程から前記第３処理液に前記好気性処理を施す工程までの工程を行う。
【００２４】
上記の本発明の貝類の処理方法は、好適には、前記有機固形物を可溶化する工程において、含有される有機物の６０％以上が炭水化物である有機性廃棄物を前記第１処理液に添加し、前記有機固形物を可溶化する工程から前記第３処理液に前記好気性処理を施す工程までの工程で前記貝類とともに前記有機性廃棄物を処理する。
【００２５】
上記の本発明の貝類の処理方法は、好適には、前記第２処理液に前記嫌気性処理を施す工程において、前記嫌気性処理において発生するメタンガスを回収しながら行う。
【００２６】
上記の本発明の貝類の処理方法は、好適には、前記第２処理液に前記嫌気性処理を施す工程において、前記処理液の塩化ナトリウム濃度を１０ｇ／リットル以下に調整して行う。
【００２７】
上記の本発明の貝類の処理方法は、好適には、前記第２処理液に前記嫌気性処理を施す工程において、前記第２処理液に前記嫌気性処理で消費される成分を添加して行う。
【００２８】
上記の本発明の貝類の処理方法は、好適には、前記第１処理液、前記第２処理液および前記第３処理液において、底部に沈殿する沈殿物を除去する工程を有する。
【発明の効果】
【００２９】
本発明に係る貝類の処理装置によれば、好気性処理において処理対象の貝類の貝殻を担体として用いることにより、好気性処理における処理安定性や処理能力を向上させ、また、処理後の貝殻をより清浄な状態にできる。
【００３０】
また、本発明に係る貝類の処理方法によれば、好気性処理において処理対象の貝類の貝殻を担体として用いることにより、好気性処理における処理安定性や処理能力を向上させ、また、処理後の貝殻をより清浄な状態にして、貝類を処理できる。
【発明を実施するための最良の形態】
【００３１】
以下に、本発明の貝類の処理装置および処理方法の実施の形態について、図面を参照して説明する。
【００３２】
第１実施形態
図１は本実施形態に係る貝類の処理装置の模式構成図である。
本実施形態に係る貝類の処理装置は、ムラサキイガイやカキなどの貝類に嫌気性処理および好気性処理を施して処理する貝類の処理装置であって、第１処理槽Ｔ１と第２処理槽Ｔ２を有する。
【００３３】
第１処理槽Ｔ１は、外気を遮断可能な構造を有する処理槽であって、処理槽本体１０を有し、処理槽本体１０の内部に収容可能な籠などが設けられて処理対象の貝類１１が収容され、さらに貝類１１を浸漬するように第１処理液１２が収容される。
【００３４】
上記の第１処理槽Ｔ１は、例えば、温度調整部１３を有しており、収容する処理液の温度を調整することができ、処理液を好ましい処理温度（例えば３５〜３７℃程度）に保持することができる。
【００３５】
また、例えば、処理槽本体１０に開閉部１４が設けられている。嫌気性処理を施すときに開閉部が閉じて外気を遮断し、好気性処理を施すときに開閉部が開いて処理液を外気に曝すように構成することができる。
開閉部１４は、図面上、処理槽の蓋部の一部が開口する構成として示しているが、これに限らず、例えば蓋部が全面に開口する構成や蓋部の一部または全部がメッシュ状に開口する構成などとすることも可能である。
【００３６】
第１処理槽Ｔ１は、第１処理液１２を攪拌する第１攪拌部を備えており、例えばモータ１５の回転軸の先端に取り付けられた攪拌部材１６が第１処理液１２の表面に浸され、攪拌部材１６の回転により攪拌する構成となっている。
ここで、開閉部１４が閉じた状態で攪拌部材１６により攪拌することで嫌気性条件での攪拌とすることができ、また、開閉部を開けて開口状態として処理槽１０の内部を外気と通じた状態で攪拌部材１６により攪拌することで好気性条件での攪拌とすることができ、これらはいわゆる表面曝気とよばれる曝気方法である。
【００３７】
上記の構成の第１処理槽Ｔ１は、貝類１１を浸漬した第１処理液１２を収容し、嫌気性条件下で貝類を構成する有機固形物を可溶化する。
【００３８】
また、例えば、第１処理槽Ｔ１の処理槽本体１０には底部に取り出し管１７が設けられており、底部に沈殿した沈殿物（塩類）を除去することができる。
【００３９】
第２処理槽Ｔ２は、外気を遮断可能な構造を有する処理槽であって、処理槽本体３０を有し、連絡管２０を通じて第１処理槽Ｔ１から移液された貝類の貝殻を除く第１処理液１２に嫌気性種汚泥が添加されてなる第２処理液３１が収容される。
【００４０】
第２処理槽Ｔ２には、第２処理液３１を攪拌する第２攪拌部を備えており、例えばシャフトによりモータ３２ａに接続された攪拌機３２が設けられ、攪拌機３２の回転により第２処理液３１を効率的に攪拌できる構成となっている。
【００４１】
また、必要に応じて収容する処理液の温度を調整できる不図示の温度調節部が設けられ、さらに処理槽本体３０には必要に応じて開閉可能な開閉部３３が設けられている。
本実施形態においては、第２処理槽Ｔ２では嫌気性処理のみを行うので、基本的には開閉部２２は閉じたままでよく、必要なときのみ開けることができる。
【００４２】
上記の構成の第２処理槽Ｔ２は、貝殻を除く第１処理液１２に嫌気性種汚泥が添加されてなる第２処理液３１を収容し、嫌気性条件下で第２処理液３１に嫌気性微生物による嫌気性処理を施す。
【００４３】
また、第２処理槽Ｔ２は処理液成分調整部３４を有する。処理液成分調整部３４は、例えば塩化ナトリウム調整部と成分添加部を含んで構成される。
塩化ナトリウム調整部は、第２処理液の塩化ナトリウム濃度を１０ｇ／リットル以下に調整するように構成されており、例えば、不図示の濃度測定部あるいは手動で塩化ナトリウム濃度を計測し、得られた濃度結果に応じて、所望の濃度範囲となるように塩化ナトリウムを添加するなどにより濃度を調整する。
また、成分添加部は、処理に必要な成分を添加するものであり、特に嫌気性処理で消費される成分を処理液に添加する。
例えば、ＮＨ４＋，ＮＯ３−，ＮＯ２−、ＰＯ４３−、Ｋ＋などのＮ，Ｐ，Ｋを含む栄養塩類、あるいは、Ｃａ，Ｍｇ，Ｓなどの微量元素が嫌気性処理で消費され、嫌気性処理において不足することがあるので、これらの成分を適宜添加する。
【００４４】
また、例えば、第２処理槽Ｔ２の処理槽本体３０の底部に取り出し管３５が設けられており、炭酸カルシウム、燐酸カルシウム、硫化カルシウムや硫化鉄などの処理槽本体３０の底部に沈殿した沈殿物（塩類）を除去することができる。
【００４５】
また、例えば、第２処理槽Ｔ２での嫌気性処理においては、メタン生成細菌のメタン発酵作用によりメタンガスが発生する。本実施形態の貝類の処理装置においては、このメタンガスを回収するエネルギー回収部３６をさらに有する。
例えば、メタンガスを燃料ガスそのものとして回収、蓄積し、燃料ガスとして用いることができる。
また、メタンガスを燃焼して発電タービンを回して発電する発電部とすることができる。この場合、エネルギーを電力および熱エネルギーとして取り出すことができ、例えば、電力として３０％、熱エネルギーとして４５％、合わせて７５％程度のエネルギーを回収できる。例えば、電力としてエネルギーを回収した場合、本実施形態の貝類の処理装置を駆動する電力として利用するほか、他所に電力源として供給することが可能である。
【００４６】
ここで、上記の第１処理槽Ｔ１が、第２処理液３１の上澄み部分に貝殻を浸漬してなる第３処理液を収容し、好気性条件下で第３処理液に貝殻を好気性微生物の担体として用いた好気性微生物による好気性処理を施すように構成されている。
第２処理液３１に嫌気性処理を施した後の上澄み液を、連絡管２０を通じて、上記の貝殻が残されている第１処理槽Ｔ１に移液して第３処理液として処理できるような構成となっている。
【００４７】
上記の本実施形態の貝類の処理装置を用いた貝類の処理方法について説明する。
図２は本実施形態に係る貝類の処理方法のフローチャートであり、図３（ａ）〜（ｃ）は本実施形態に係る貝類の処理方法を説明する模式図である。
【００４８】
まず、処理がスタートすると、第１ステップＳ１０として、外気を遮断可能な構造を有する第１処理槽Ｔ１の処置槽本体１０に、処理対象の貝類１１を浸漬した第１処理液１２を収容し、嫌気性条件下で攪拌して、第１処理液１２において貝類１１を構成する有機固形物を可溶化する。
【００４９】
ここでは、図３（ａ）に示すように、外気を遮断した嫌気性条件での攪拌として、本実施形態においては、開閉部１４を閉じて処理槽１０を外気から遮断した状態で、攪拌部材１６を回転させて表面曝気することで曝気攪拌する。
【００５０】
上記の嫌気性条件での処理において、浸漬された貝類の有機固形物である貝肉は、酵素や細菌の作用による加水分解および酸生成過程で、高分子有機物が低分子化されるのと同時に、一部、吉草酸、酪酸、プロピオン酸などの有機酸などに分解され、可溶化した有機物となる。例えばムラサキイガイなどの貝類では、３日程度で貝肉が貝殻から剥離され、可溶化される。
【００５１】
また、上記の第１処理槽Ｔ１での嫌気性処理において、固体有機物の可溶化により有機酸が生成されるため、処理液が酸性になると嫌気性微生物による分解作用を阻害してしまうが、処理液中に貝殻を浸漬していることから、処理液が酸性条件となると貝殻を構成する炭酸カルシウムが溶出して酸を中和する作用が働き、嫌気性微生物による分解作用を阻害しないほぼ中性に保持することができる。
また、貝殻からＣａ，Ｍｇ，Ｓなどの微量元素が溶出することで、これらの元素が反応系に供給される。
上記のように、貝殻を嫌気性処理の処理液に浸漬していることから、安定した処理を持続することが可能となる。
【００５２】
次に、第１処理液において有機固形物が可溶化したら、第２ステップＳ２０として、貝類の貝殻を除く第１処理液１２に嫌気性種汚泥３１ａを添加して第２処理液３１とし、嫌気性条件下で第２処理液３１を攪拌して、第２処理液３１に嫌気性微生物による嫌気性処理を施す。
【００５３】
ここでは、図３（ａ）に示すように、第１処理液１２の移液前に第２処理槽の処理槽本体３０内部に予め嫌気性種汚泥３１ａを投入しておき、図３（ｂ）に示すように、連絡管２０を通じて第１処理槽Ｔ１から貝類の貝殻を除く第１処理液１２を移液することで、第１処理液１２と嫌気性種汚泥３１ａと混合され、第２処理液３１となる。貝類を構成する貝殻は、第１処理槽Ｔ１内に残される。
外気を遮断した嫌気性条件での攪拌として、開閉部３３を閉じて処理槽本体３０を外気から遮断した状態で、攪拌機３２を回転させて効率的に攪拌する。
上記のように嫌気性条件で攪拌することで、第１処理液由来の可溶化した有機物に対して、嫌気性種汚泥由来の嫌気性微生物であるメタン生成細菌が作用してメタン発酵し、メタンガスが生成される。
上記の反応においてはメタンガスのほかに二酸化炭素も生成され、合わせてバイオガスとも称する。バイオガスの組成は、例えばメタンガスが６０％、二酸化炭素が４０％程度である。
【００５４】
図３（ｂ）に示すように、バイオガス３６ａはエネルギー回収部３６へと導かれ、バイオガスを構成するメタンガスが集められて、燃料ガス、電力、熱エネルギーなど様々な形態でエネルギーが回収される。
【００５５】
また、図３（ｂ）に示すように、上記の第２処理槽Ｔ２での嫌気性処理において、処理液成分調整部３４は処理液に必要な成分３４ａを適宜添加する。
例えば、処理液成分調整部３４を構成する塩化ナトリウム調整部により、処理液の塩化ナトリウム濃度を１０ｇ／リットル以下の一定の値に調整される。
海水のように塩化ナトリウム濃度が高い場合、メタン発酵によるメタン生成は著しく阻害されるので、ある程度の濃度以下であることが好ましく、特に塩化ナトリウム濃度が１０ｇ／リットル以下とするとメタンガスの生成効率が非常に高くなる。
また、汽水など塩化ナトリウム濃度が高くなくても、塩化ナトリウム濃度が変化するような場合、汚泥の馴化が塩化ナトリウム濃度に追随できないため、メタン発酵反応を阻害してしまう。
【００５６】
従って、貝類がムラサキイガイなど海洋性の種類である場合、塩化ナトリウム成分が貝類に含有、付着していてある程度の持込があり、一定の塩化ナトリウム濃度を得るために、１０ｇ／リットル以下で、かつ一定の値に調整することが好ましい。繰り返し反応液を使用する場合、塩化ナトリウム濃度が高くなる場合には必要に応じて水で希釈する。
塩化ナトリウムの濃度の調節は、不図示の濃度測定部あるいは手動で塩化ナトリウム濃度を計測し、得られた濃度結果に応じて自動的に調整するようにしてもよい。
【００５７】
また、上記の嫌気性処理において、例えば、成分調整部３４を構成する成分添加部は、Ｎ，Ｐ，Ｋを含む栄養塩類、あるいは、Ｃａ，Ｍｇ，Ｓなどの微量元素など、嫌気性処理において不足する成分を適宜添加する。
【００５８】
上記の嫌気性処理の終了を、例えばメタンガスが生成されなくなった時点などで見極め、次の工程に進む。
【００５９】
上記のようにして、ムラサキイガイなどの貝類の貝肉を可溶化する嫌気性処理を経ても、一部の貝肉は貝殻に付着しており、また、処理液内には難分解性の有機物も残存している。
本実施形態においては、上記の有機物をさらに分解し、貝殻をより清浄な状態にするため、上記の嫌気性処理（Ｓ２０）の後に、第３ステップＳ３０として、第１処理槽Ｔ１において、第２処理液３１の上澄み部分に貝類１１の貝殻を浸漬して第３処理液１２ａとし、好気性条件下で第３処理液１２ａを攪拌して第３処理液１２ａに貝殻を好気性微生物の担体として用いた好気性微生物による好気性処理を施す。
【００６０】
ここでは、図３（ｃ）に示すように、第２処理液３１に嫌気性処理を施す工程の後で、貝類１１の貝殻が残されている第１処理槽Ｔ１に、第２処理液３１の上澄みを移液する。
これにより、第２処理液３１の上澄み部分に貝類１１の貝殻が浸漬されて第３処理液１２ａとなる。
上記の第３処理液３１ａに対して、好気性条件下で処理液を攪拌して、処理液に貝類の貝殻を好気性微生物の担体として用いて好気性微生物による好気性処理を施す。
【００６１】
本実施形態においては、図３（ｃ）に示すように、好気性条件での攪拌として、第１処理槽Ｔ１の処理槽本体１０に設けられた開閉部１４を開けて開口状態１４ａとして、攪拌部材１６を回転させて表面曝気することで曝気攪拌する。
好気性条件に転換することで、嫌気性微生物が優位な状況から好気性微生物が優位な状況へとシフトし、好気性微生物による好気性処理が施されるようになる。
【００６２】
また、図３（ａ）〜（ｃ）に示すように、第１処理槽Ｔ１の処理槽本体１０の底部に取り出し管１７が設けられ、また、第２処理槽Ｔ２の処理槽本体３０の底部に取り出し管３５が設けられ、上記の各処理において、炭酸カルシウム、燐酸カルシウム、硫化カルシウムや硫化鉄などの処理槽本体の底部に沈殿した沈殿物（塩類）を取り出し管（１７，３５）から除去しながら、処理を行うことができる。
【００６３】
上記好気性処理において、貝殻は好気性微生物の好ましい担体として機能する。
貝殻は、適当な表面粗度を有し、さらに貝殻中にはＣａ，Ｍｇ，Ｓなどの微量元素が含有されていることから、微生物が付着、着床するのに好ましい状態となっている。
また、ランダムに充填された貝殻の作り出す空隙率は、７０〜８５％程度におよび、貝の種類にもよるが、充填実比表面積は１００ｍ２／ｍ３以上にもなることからも、担体として非常に好ましい。
【００６４】
さらに、上記の好気性処理において、アンモニア性窒素の酸化反応により亜硝酸イオンや硝酸イオンが生成されるため、処理液が酸性になると好気性微生物による分解作用を阻害してしまうが、嫌気性処理の場合と同様に、処理液中に貝殻を浸漬していることから、処理液が酸性条件となると貝殻を構成する炭酸カルシウムが溶出して酸を中和する作用が働き、好気性微生物による分解作用を阻害しないほぼ中性に保持することができる。これはとりもなおさず、貝殻表面が溶解し、貝殻を清浄化する作用として同時に働くことを意味している。
【００６５】
本実施形態の貝類の処理装置および処理方法によれば、好気性処理において処理対象の貝類の貝殻を担体として用いることにより、好気性処理における処理安定性や処理能力を向上させることが可能であり、また、処理後の貝殻をより清浄な状態にして、貝類を処理できる。
【００６６】
処理後の貝殻は非常に清浄であるので、カルシウム源などとして活用しやすい状態となっている。また、廃棄した場合であっても残存する有機物がほとんどないので悪臭の発生を抑制することができる。
【００６７】
上記の好気性処理を経た処理液は、残存していた有機物まで分解されて浄化されているので、例えばそのまま放流することができる。また、栄養塩分や微量元素を含んでいるので、次回の貝類の処理における処理液として使用することが可能である。
【００６８】
また、第２処理槽Ｔ２は貝殻を収容していないことから、攪拌方法に選択の自由度が高くなり、例えば、攪拌機などを用いた高効率の攪拌を採用することができ、これによって嫌気性処理の効率を高めることが可能である。
ここで、第１処理槽から移液された可溶化処理液中には、ＳＳ（懸濁性物質）成分が比較的少ないため、例えばＵＡＳＢ（上向流嫌気性汚泥床）法などの高負荷型嫌気性処理によって、メタン発酵効率を高めることが可能である。
また、第２処理槽Ｔ２には貝殻を含ませないことから、基本的に収容されるのが液体状態の物質のみであるので、第２処理槽の処理槽本体の大きさを小型化することが可能である。場合によっては、複数回の処理分の第１処理液をまとめて嫌気性処理（メタン発酵）に供することも可能である。
【００６９】
上記の第１処理槽Ｔ１においては、モータの回転軸の先端に取り付けられた攪拌部材が処理液の表面に浸され、攪拌部材の回転によって攪拌する構成とした攪拌としているが、それ以外の方法として、例えばブロワなどを用いて、処理槽内ガスあるいは外気（空気）を曝気することで攪拌する、いわゆる曝気攪拌とすることも可能である。
【００７０】
本実施形態に係る貝類の処理装置および方法において、第１処理槽で有機固形物を可溶化する工程において、生ゴミなど、含有される有機物の６０％以上が炭水化物である有機性廃棄物を第１処理液に添加してもよい。
この場合、第１処理槽での有機固形物を可溶化する工程、第２処理槽での嫌気性処理（メタン発酵）工程および第１処理槽での第３処理液に好気性処理を施す工程まで、貝類とともに生ゴミ（有機性廃棄物）を処理することができる。
有機固形物を嫌気性条件で可溶化する工程において、炭水化物からの有機酸の生成が進み、それによるｐＨの低下とともに貝殻表面の溶解が起こり、付着貝肉など有機物が除去され、貝殻表面の浄化が促進される。
処理液中の栄養バランスがよくなるとともに、基質としてのＣ／Ｎ比（炭素窒素比）が大きくなり、メタン生成細菌の窒素阻害が起こりにくくなるという利点がある。
【００７１】
第２実施形態
図４は本実施形態に係る貝類の処理装置の模式構成図である。
本実施形態に係る貝類の処理装置は、実質的に第１実施形態と同様であるが、第１処理槽Ｔ１、第２処理槽Ｔ２および第３処理槽Ｔ３を有する。
【００７２】
第１処理槽Ｔ１は、第１実施形態と同様の構成であり、外気を遮断可能な構造を有する処理槽であって、処理対象の貝類を浸漬した第１処理液を収容し、第１処理液を攪拌する第１攪拌部を備え、嫌気性条件下で貝類を構成する有機固形物を可溶化する。
【００７３】
第２処理槽Ｔ２は、外気を遮断可能な構造を有する処理槽であって、連絡管２０を通じて第１処理槽Ｔ１から移液された貝類の貝殻を除く第１処理液に嫌気性種汚泥が添加されてなる第２処理液が収容され、第２処理液を攪拌する第２攪拌部を備え、嫌気性条件下で第２処理液に嫌気性微生物による嫌気性処理を施す。
【００７４】
第３処理槽Ｔ３は、連絡管２０を通じて移液された第２処理液の上澄み部分に貝殻を浸漬してなる第３処理液を収容し、第３処理液を攪拌する第３攪拌部を備え、好気性条件下で第３処理液に貝殻を好気性微生物の担体として用いた好気性微生物による好気性処理を施す。
【００７５】
第３処理槽Ｔ３に収容される貝殻は、例えば第１処理槽Ｔ１において嫌気性条件で有機固形物を可溶化した残りの貝殻を第３処理槽Ｔ３に移して用いることができる。
あるいは、第３処理槽Ｔ３において別工程で嫌気性条件で有機固形物を可溶化した残りの貝殻をそのまま用いることもできる。
【００７６】
本実施形態に係る第１処理槽Ｔ１および第３処理槽Ｔ３は、第１実施形態における第１処理槽と同様の構成とすることが可能であり、また、本実施形態に係る第２処理槽Ｔ２は、第１実施形態における第２処理槽と同様の構成とすることが可能である。
【００７７】
本実施形態の貝類の処理装置および処理方法によれば、好気性処理において処理対象の貝類の貝殻を担体として用いることにより、好気性処理における処理安定性や処理能力を向上させることが可能であり、また、処理後の貝殻をより清浄な状態にして、貝類を処理できる。
【００７８】
処理後の貝殻は非常に清浄であるので、カルシウム源などとして活用しやすい状態となっている。また、廃棄した場合であっても残存する有機物がほとんどないので悪臭の発生を抑制することができる。
【００７９】
また、第２処理槽Ｔ２は貝殻を収容していないことから、攪拌機などを用いた高効率の攪拌を採用することができ、これによって嫌気性処理の効率を高めることが可能である。
【００８０】
第３実施形態
図５は本実施形態に係る貝類の処理装置の模式構成図である。
第１実施形態の第１処理槽と同様の構成である複数個の第１処理槽（Ｔ１ａ，Ｔ１ｂ，Ｔ１ｃ，Ｔ１ｄ）を有しており、これらの複数個の第１処理槽（Ｔ１ａ，Ｔ１ｂ，Ｔ１ｃ，Ｔ１ｄ）と、第１実施形態の第２処理槽と同様の構成である第２処理槽Ｔ２間で、連絡管２０を通じて、第１処理槽（Ｔ１ａ，Ｔ１ｂ，Ｔ１ｃ，Ｔ１ｄ）に収容されていた可溶化処理後の第１処理液を第２処理槽Ｔ２へ、また、第２処理槽Ｔ２に収容されていた嫌気性処理（メタン発酵）後の第２処理液の上澄みを第１処理槽（Ｔ１ａ，Ｔ１ｂ，Ｔ１ｃ，Ｔ１ｄ）へ、それぞれ移液可能に構成されている。
【００８１】
上記の構成の貝類の処理装置の処理フローの例を表１にまとめた。
【００８２】
【表１】
2008049274.tif 000003
【００８３】
例えば、期間Ｐ１において、所定の温度で第１処理槽（Ｔ１ａ，Ｔ１ｂ，Ｔ１ｃ，Ｔ１ｄ）において、嫌気性条件で第１処理液を貯留し、可溶化処理を行う。例えば、この期間において可溶化が完全に進行しない程度の温度とする。
【００８４】
次に、期間Ｐ２において、第１処理槽Ｔ１ａの可溶化処理の温度を上昇させ、可溶化速度をあげることにより、可溶化を完全に進行させて十分に可溶化させる。一方、残りの第１処理槽（Ｔ１ｂ，Ｔ１ｃ，Ｔ１ｄ）においては、温度を上昇しないので、期間Ｐ２においても可溶化は完全に進行しない。
【００８５】
次に、期間Ｐ３において、第１処理槽Ｔ１ａから貝殻を残して第１処理液を第２処理槽Ｔ２に移液し、第２処理槽Ｔ２に予め投入されていた嫌気性種汚泥と混合されて第２処理液とされ、嫌気性処理を施してメタン発酵がなされる。このタイミングで、第１処理槽Ｔ１ｂの可溶化処理の温度を上昇させて十分に可溶化させ、他の第１処理槽（Ｔ１ｃ，Ｔ１ｄ）の温度はそのままとする。
【００８６】
次に、期間Ｐ４において、第２処理槽Ｔ２内の第２処理液を静置して得た上澄みを、貝殻が残されていた第１処理槽Ｔ１ａに移液し、好気性条件で攪拌して好気性処理を施す。第２処理槽Ｔ２内で第２処理液を静置して得た沈殿は、嫌気性種汚泥として次回の嫌気性処理（メタン発酵）に供され、本実施形態においては、第１処理槽Ｔ１ｂから移液された第１処理液と混合されて新たな第２処理液とされ、嫌気性処理がなされる。また、第１処理槽Ｔ１ｃの可溶化処理の温度を上昇させて十分に可溶化させ、第１処理槽Ｔ１ｄの温度はそのままとする。
【００８７】
次に、期間Ｐ５において、第１処理槽Ｔ１ａにおいては好気性処理が終了しているので、清浄にされた貝殻を取り出し、カルシウム源などとして再利用される。あるいはこのまま廃棄されても清浄化されているので悪臭を放つおそれがない。一方、第２処理槽Ｔ２内の第２処理液の上澄みを第１処理槽Ｔ１ｂに移液して好気性処理を施す。また、第２処理槽Ｔ２内で第２処理液を静置して得た沈殿（嫌気性種汚泥）を第１処理槽Ｔ１ｃから移液された第１処理液と混合して新たな第２処理液とされ、嫌気性処理がなされ、第１処理槽Ｔ１ｄの可溶化処理の温度を上昇させて十分に可溶化させる。
【００８８】
次に、期間Ｐ６において、第１処理槽Ｔ１ｂから清浄にされた貝殻を取り出す。一方、第２処理槽Ｔ２内の第２処理液の上澄みを第１処理槽Ｔ１ｃに移液して好気性処理を施す。また、第２処理槽Ｔ２内で第２処理液を静置して得た沈殿（嫌気性種汚泥）を第１処理槽Ｔ１ｄから移液された第１処理液と混合して新たな第２処理液とされ、嫌気性処理がなされる。
【００８９】
次に、期間Ｐ７において、第１処理槽Ｔ１ｃから清浄にされた貝殻を取り出し、第２処理槽Ｔ２内の第２処理液の上澄みを第１処理槽Ｔ１ｄに移液して好気性処理を施す。
【００９０】
次に、期間Ｐ８において、第１処理槽Ｔ１ｃから清浄にされた貝殻を取り出す。
【００９１】
上記の処理で使用されていない期間に各処理槽は、例えばその他の処理槽などからの嫌気性条件で有機固形物を可溶化した処理液に対して嫌気性処理（メタン発酵）をさせる槽として利用でき、表１において（Ｍ）の記号で示している。
【００９２】
本実施形態の貝類の処理装置および処理方法によれば、好気性処理において処理対象の貝類の貝殻を担体として用いることにより、好気性処理における処理安定性や処理能力を向上させることが可能であり、また、処理後の貝殻をより清浄な状態にして、貝類を処理できる。
【００９３】
処理後の貝殻は非常に清浄であるので、カルシウム源などとして活用しやすい状態となっている。また、廃棄した場合であっても残存する有機物がほとんどないので悪臭の発生を抑制することができる。
【００９４】
また、第２処理槽Ｔ２は貝殻を収容していないことから、攪拌機などを用いた高効率の攪拌を採用することができ、これによって嫌気性処理の効率を高めることが可能である。
【００９５】
また、複数個の第１処理槽から、一定量ずつ可溶化処理を完了させて、第２処理槽に移液して嫌気性処理（メタン発酵）に供せられるので、第２処理槽の利用効率が高く、安定で持続的な処理を行うことができる。
【００９６】
（実施例）
三角フラスコ中に、蒸留水および海水の混合液５００ｍｌを注ぎ、嫌気性種汚泥を５００ｍｌ添加して処理液を調製し、ムラサキイガイ５００ｇ（湿重量）を投入し、３７℃の温度で嫌気性処理を施した。ここで、処理液の塩化ナトリウム濃度は、水と海水の混合比で調節することで、０，１０，２０，３５ｇ／リットルの４条件として、それぞれＡ０，Ａ１０，Ａ２０，Ａ３５の４つの試料とした。
一方、嫌気性種汚泥は用いず、蒸留水および海水の混合液１０００ｍｌを処理液とし、ムラサキイガイ５００ｇ（湿重量）を投入し、３７℃の温度で嫌気性処理を施した。上記と同様に塩化ナトリウム濃度を０，１０，２０，３５ｇ／リットルの４条件として、それぞれＮ０，Ｎ１０，Ｎ２０，Ｎ３５の４つの試料とした。
また、ムラサキイガイを投入せず、蒸留水５００ｍｌに嫌気性種汚泥５００ｇを投入したものをコントロール試料Ｃとした。
【００９７】
上記の各試料について、嫌気性処理において発生したバイオガスを収集し、メタンＸ、二酸化炭素Ｙ、窒素およびその他のガスＺに分類して積算したガス量（Ｌ）を図６に示す。
嫌気性処理において、嫌気性種汚泥を使用し、さらに、塩化ナトリウム濃度を１０ｇ／リットル以下に調製することで、メタンガスの生成効率が非常に高くなることが確認された。
【００９８】
本発明は上記の実施の形態に限定されない。
例えば、嫌気性条件と好気性条件の制御は、上記の各実施形態のように処理槽の開閉部によるもの、曝気によるもの、その組み合わせによるものなど、種々の構成を採用可能である。
また、処理対象の貝類はムラサキイガイのほか、不要となったカキ、その他の貝類などに適用できる。
上記の各実施形態において、各処理槽間で処理液を移液する手段としては、ポンプの正および逆回転を利用することができる。
その他、本発明の要旨を逸脱しない範囲で種々の変更が可能である。
【産業上の利用可能性】
【００９９】
本発明の貝類の処理装置は、沿岸に立地する発電所などの施設において冷却水系などの配水管の内部に付着する貝類の処理装置として適用できる。
本発明の貝類の処理方法は、沿岸に立地する発電所などの施設において冷却水系などの配水管の内部に付着する貝類を処理する方法として適用できる。
【図面の簡単な説明】
【０１００】
【図１】図１は本発明の第１実施形態に係る貝類の処理装置の模式構成図である。
【図２】図２は本発明の第１実施形態に係る貝類の処理方法のフローチャートである。
【図３】図３（ａ）〜（ｃ）は本発明の第１実施形態に係る貝類の処理方法を説明する模式図である。
【図４】図４は本発明の第２実施形態に係る貝類の処理装置の模式構成図である。
【図５】図５は本発明の第３実施形態に係る貝類の処理装置の模式構成図である。
【図６】図６は実施例において嫌気性処理で発生したバイオガスを分類して積算したガス量を示すグラフである。
【符号の説明】
【０１０１】
Ｔ１，Ｔ１ａ，Ｔ１ｂ，Ｔ１ｃ，Ｔ１ｄ…第１処理槽
Ｔ２…第２処理槽
Ｔ３…第３処理槽
１０…処理槽本体
１１…貝類
１２…第１処理液
１２ａ…第３処理液
１３…温度調節部
１４…開閉部
１４ａ…開口状態
１５…モータ
１６…攪拌部材
１７…取り出し管
２０…連絡管
３０…処理槽本体
３１…第２処理液
３１ａ…嫌気性種汚泥
３２…攪拌機
３２ａ…モータ
３３…開閉部
３４…処理液成分調整部
３４ａ…必要な成分
３５…取り出し管
３６…エネルギー回収部
３６ａ…バイオガス
【図１】
2008049274.tif 000004
【図２】
2008049274.tif 000005
【図３】
2008049274.tif 000006
【図４】
2008049274.tif 000007
【図５】
2008049274.tif 000008
【図６】
2008049274.tif 000009